(57)【要約】【課題】座席本体とベース部材との連結固定構造をよりシンプルにする。【解決手段】チャイルドシートは、着脱可能な座席本体１０とベース部材３０とを備える。ベース部材３０には、前方位置で幅方向に延在するベース側前方係合部材３８と、後方位置で幅方向に延在するベース側後方係合部材３９とが設けられている。座席本体１０の底面には、実質的に正方形の辺に沿って延び、ベース側係合部材３８，３９に係合する座席本体側係合部材１４，１５，１６が設けられている。【選択図】        図１１
2004359192.tif 000002
【特許請求の範囲】
【請求項１】
座席本体とベース部材とが着脱可能なチャイルドシートにおいて、
前記ベース部材には、前方位置で幅方向に延在するベース側前方係合部材と、後方位置で幅方向に延在するベース側後方係合部材とが設けられ、
前記座席本体の底面には、実質的に正方形の辺に沿って延び、前記ベース側前方係合部材および前記ベース側後方係合部材に係合する座席本体側係合部材が設けられていることを特徴とする、着脱式チャイルドシート。
【請求項２】
前記ベース側前方係合部材は、幅方向に離れて位置する２個の前方受け金具を含み、
前記ベース側後方係合部材は、幅方向に離れて位置する２個の後方受け金具を含み、
前記座席本体側係合部材は、前方に位置して幅方向に延びる前方係合ロッドと、後方に位置して幅方向に延びる後方係合ロッドと、両側方に位置して前後方向に延びる１対の側方係合ロッドとを含む、請求項１に記載の着脱式チャイルドシート。
【請求項３】
前記座席本体を前記ベース部材上で前向きに置く場合には、前記前方係合ロッドおよび前記後方係合ロッドが、それぞれ、前記前方受け金具および前記後方受け金具に係合し、
前記座席本体を前記ベース部材上で後ろ向きに置く場合には、前記後方係合ロッドおよび前記前方係合ロッドが、それぞれ、前記前方受け金具および前記後方受け金具に係合し、
前記座席本体を前記ベース部材上で横向きに置く場合には、前記１対の側方係合ロッドが、それぞれ、前記前方受け金具および前記後方受け金具に係合する、請求項２に記載の着脱式チャイルドシート。
【請求項４】
前記ベース側前方係合部材および前記ベース側後方係合部材の少なくともいずれか一方と、前記座席本体側係合部材との係合状態をロックするロック機構をさらに備え、
前記ロック機構は、前記係合状態をロックするロック位置と、前記係合状態のロックを解除するロック解除位置との間を変位し得るように前記ベース部材に設けられたロック部材と、前記ロック部材を前記ロック位置にもたらすように付勢する付勢手段と、前記ロック部材を前記ロック解除位置にもたらすように操作する操作部材とを含む、請求項１〜３のいずれかに記載の着脱式チャイルドシート。
【請求項５】
前記操作部材は、前記ロック部材が前記ロック位置にあるときに前記ベース部材の前方端から露出する露出部と、前記ロック部材が前記ロック位置にあるときには前記ベース部材の中に隠れ、前記ロック部材が前記ロック解除位置にあるときには前記ベース部材から露出する着色部とを含む、請求項４に記載の着脱式チャイルドシート。
【発明の詳細な説明】
【０００１】
【発明の属する技術分野】
この発明は、座席本体とベース部材とが着脱可能なチャイルドシートに関するものである。
【０００２】
【従来の技術】
本願と同一の出願人は、特開平１０−２５０４２６号公報（特許文献１）に、チャイルドシートを開示した。この公報に開示されたチャイルドシートは、ベース部材と、このベース部材上に旋回可能に支持された座席本体とを備える。旋回可能な座席本体は、車の座席上で、必要に応じて前向き、後ろ向きおよび横向きに位置決めされる。
【０００３】
上記のような旋回式のチャイルドシートの場合、車の座席上に固定されたベース部材の上で座席本体が旋回するものであるので、ベース部材は座席本体の旋回を許容し得るだけの大きさを有していなければならない。そのため、チャイルドシートの大型化を余儀なくされる。
【０００４】
チャイルドシートの小型化を図るには、座席本体をベース部材に対して着脱可能にするのが好ましい。このようなチャイルドシートの一例が、特開２０００−３０１９６９号公報（特許文献２）に開示されている。この公報に開示されたチャイルドシートにおいても、座席本体は、必要に応じて、ベース部材上で前向き、後ろ向きおよび横向きに位置決めされる。
【０００５】
【特許文献１】
特開平１０−２５０４２６号公報
【０００６】
【特許文献２】
特開２０００−３０１９６９号公報
【０００７】
【発明が解決しようとする課題】
特開２０００−３０１９６９号公報に開示されたチャイルドシートの場合、ベース部材には座席本体を装着するための取付係合部が４箇所に形成され、座席本体には座部の下面側に上記の取付係合部に係合可能なピン部が取付けられている。
【０００８】
上記の特開２０００−３０１９６９号公報に開示された座席本体とベース部材との連結固定構造は、非常に複雑であり、よりシンプルな構造が望まれる。
【０００９】
また、着脱式チャイルドシートの場合、座席本体とベース部材とを確実にかつ強固に連結固定することが必要である。さらに、不測の事態が起こっても、座席本体がベース部材から容易に離脱しないようにすることが望まれる。
【００１０】
この発明の目的は、座席本体とベース部材との連結固定構造をよりシンプルにすることである。
【００１１】
【課題を解決するための手段】
この発明は、座席本体とベース部材とが着脱可能なチャイルドシートであって、次のことを特徴とする。
【００１２】
ベース部材には、前方位置で幅方向に延在するベース側前方係合部材と、後方位置で幅方向に延在するベース側後方係合部材とが設けられる。座席本体の底面には、実質的に正方形の辺に沿って延び、ベース側前方係合部材およびベース側後方係合部材に係合する座席本体側係合部材が設けられている。
【００１３】
座席本体側係合部材が実質的に正方形の辺に沿って位置するように設けられているので、座席本体を前向き、後ろ向き、横向きのいずれの状態にしても、座席本体側係合部材とベース側係合部材とを実質的に同じ構造で係合させることができる。したがって、両者の連結固定構造をよりシンプルにすることができる。
【００１４】
一つの実施形態では、ベース側前方係合部材は、幅方向に離れて位置する２個の前方受け金具を含む。ベース側後方係合部材は、幅方向に離れて位置する２個の後方受け金具を含む。座席本体側係合部材は、前方に位置して幅方向に延びる前方係合ロッドと、後方に位置して幅方向に延びる後方係合ロッドと、両側方に位置して前後方向に延びる１対の側方係合ロッドとを含む。
【００１５】
座席本体をベース部材上で前向きに置く場合には、前方係合ロッドおよび後方係合ロッドが、それぞれ、前方受け金具および後方受け金具に係合する。座席本体をベース部材上で後ろ向きに置く場合には、後方係合ロッドおよび前方係合ロッドが、それぞれ、前方受け金具および後方受け金具に係合する。座席本体をベース部材上で横向きに置く場合には、１対の側方係合ロッドが、それぞれ、前方受け金具および後方受け金具に係合する。
【００１６】
チャイルドシートは、好ましくは、ベース側前方係合部材およびベース側後方係合部材の少なくともいずれか一方と、座席本体側係合部材との係合状態をロックするロック機構をさらに備える。このロック機構は、係合状態をロックするロック位置と、係合状態のロックを解除するロック解除位置との間を変位し得るようにベース部材に設けられたロック部材と、ロック部材をロック位置にもたらすように付勢する付勢手段と、ロック部材をロック解除位置にもたらすように操作する操作部材とを含む。
【００１７】
好ましくは、操作部材は、ロック部材がロック位置にあるときにベース部材の前方端から露出する露出部と、ロック部材がロック位置にあるときにはベース部材の中に隠れ、ロック部材がロック解除位置にあるときにはベース部材から露出する着色部とを含む。
【００１８】
【発明の実施の形態】
図１および図２は、この発明の一実施形態である着脱式チャイルドシートを示している。チャイルドシート１は、座席本体１０と、ベース部材３０とを備える。座席本体１０は、ベース部材３０に着脱可能に支持される。図１および図２は、座席本体１０をベース部材３０上に前向きに取付けている状態を示している。
【００１９】
図７は、座席本体１０をベース部材３０上に後ろ向きに取付けている状態を示し、図８は、座席本体１０を寝かせた状態にして、ベース部材３０上に横向きに取付けている状態を示している。座席本体１０は、座部１１と、この座部１１に対して後傾可能に設けられている背もたれ部１２とを有する。図１および図２に示す前向き取付け状態では、背もたれ部１２を最小後傾角度にする。図８に示す横向き取付け状態では、背もたれ部１２を最大後傾角度にして、ベッド状の形態にする。図７に示す後ろ向き取付け状態では、背もたれ部１２を中間後傾角度にする。
【００２０】
図３および図４は、ベース部材３０を示している。図示するように、ベース部材３０は、座席本体１０の座部１１を下から支える底壁部３１と、底壁部３１の後端から上方に立ち上がって延びる立壁部３２とを有する。
【００２１】
底壁部３１上には、座席本体１０を取り付けるための２個の前方受け金具３８および２個の後方受け金具３９が設けられている。２個の前方受け金具３８は、底壁部３１の前方位置で幅方向に延在するように配置されている。２個の後方受け金具３９は、底壁部３１の後方位置で幅方向に延在するように配置されている。各受け金具３８，３９は、その後端から前方に向かって抉れた係合凹部を有している。図示した実施形態では、２個の前方受け金具３８および２個の後方受け金具３９は、それぞれ、幅方向に離れて位置しているが、他の実施形態として、前方および後方の受け金具をそれぞれ１個にし、それらを幅方向に長く延ばすようにしてもよい。
【００２２】
図３および図４から明らかなように、２個の後方受け金具３９の後方に、前下がりの傾斜面を有する傾斜台３７が連続するように設けられている。これらの傾斜台３７は、後述する座席本体の後方係合ロッド１６（図６参照）に下から当接し、この当接した後方係合ロッド１６を前方下方に導き、最終的に後方受け金具３９に係合させるように作用する。
【００２３】
ベース部材３０の底壁部３１の前方端には、座席本体１０とベース部材３０との連結固定状態を解除するための操作部材４０の一部が露出している。この操作部材４０を手で手前に引くように操作すれば、座席本体１０とベース部材３０とのロック状態を解除できる。この操作部材４０に関連した構造については、後に詳しく説明する。
【００２４】
図３に示すように、ベース部材３０の立壁部３２には、その上方部に２個、その下方中央部に１個のベルトクリップ３３，３４が取付けられている。下方のベルトクリップ３４の両サイドには、ベルトガイド３５が形成されている。
【００２５】
図９は、ベース部材３０を車に備え付けのシートベルトを利用して車の座席上に固定している状態を示している。図示するように、バックル受け金具４に固定されるシートベルトは、肩ベルト部２と腰ベルト部３とを備える。肩ベルト部２は、上方のベルトクリップ３３に挟まれ、ベルトガイド３５に案内される腰ベルト部３は、下方のベルトクリップ３４に挟まれる。
【００２６】
図３から明らかなように、ベース部材３０の立壁部３２の上方部分には、幅方向に離れた位置で上方に延びる引掛けロッド３６が設けられている。この引掛けロッド３６に関しては、後に詳しく説明する。
【００２７】
図５は座席本体１０を示す斜視図であり、図６はその底面図である。図６に示すように、座席本体１０の座部１１の底面はほぼ正方形の形状をしており、その４個のコーナー部近傍領域にＬ字形状の溝１３が形成されている。前述したベース側係合部材である前方受け金具３８および後方受け金具３９に係合する座席本体側係合部材が、４個のＬ字形状溝１３の部分に設けられている。
【００２８】
具体的には、座席本体側係合部材は、前方に位置して幅方向に延びる前方係合ロッド１４と、後方に位置して幅方向に延びる後方係合ロッド１６と、両側方に位置して前後方向に延びる１対の側方係合ロッド１５とを含む。
【００２９】
各係合ロッド１４，１５，１６は、それぞれ、２個のコーナー部の溝１３に連続して現れるように１本の長い直線状のロッドで構成しても良いし、あるいは２個の溝１３のそれぞれに別個に短い長さの直線状ロッドを設けるようにしてもよい。また、前方係合ロッド１４、側方係合ロッド１５および後方係合ロッド１６を互いに連結したような長いＬ字形状、Ｕ字形状、四角形状のロッドを用いるようにしてもよい。いずれの場合でも、溝１３上に現れるロッド部分が、前述したベース側係合部材に係合する座席本体側係合部材を構成する。
【００３０】
座席本体側係合部材を構成する前方係合ロッド１４、１対の側方係合ロッド１５および後方係合ロッド１６は、実質的に正方形の辺に沿って延びるようにされている。
【００３１】
図１０は、座席本体１０の背もたれ部１２の背面部分の上方領域を示している。図示するように、座席本体１０の背面部分には、前述したベース部材３０の引掛けロッド３６に係合する２個の引掛け環１７が設けられている。
【００３２】
図１８〜図２１を参照して、座席本体１０の引掛け環１７、ベース部材３０の引掛けロッド３６および傾斜台３７の作用について説明する。
【００３３】
図１８に示すように、引掛けロッド３６は、形状的に屈曲した関係となっている上方部分３６ａと下方部分３６ｂとを有する。座席本体１０を上から降ろしてベース部材１０上に置くときに、引掛け環１７がスムーズに引掛けロッド３６に嵌るようにするために、引掛けロッド３６の上方部分３６ａは、その上端が前方に向くように傾斜している。一方、引掛けロッド３６の下方部分３６ｂは、前方下方に傾斜した前下がり傾斜形状となっている。
【００３４】
図１８および図２０は、座席本体１０を下方に降ろしてベース部材３０の底壁部３１上に置いた直後の状態を示している。この状態では、座席本体１０の後方係合ロッド１６がベース部材３０の傾斜台３７の前下がり傾斜面上に当接し、引掛け環１７が引掛けロッド３６の上方部分３６ａに係合している。
【００３５】
図１８および図２０に示す状態では、後方係合ロッド１６は、ベース部材３０の後方受け金具３９に係合していない。この状態から、座席本体１０をさらに下方に押し込むと、座席本体１０の後方係合ロッド１６が傾斜台３７に沿って前方下方に移動し、引掛け環１７は、引掛けロッド３６の上方部分３６ａに沿って後方下方に移動し、続いて下方部分３６ｂに沿って前方下方に移動する。
【００３６】
図１９および図２１は、座席本体１０が上記の動作を経て最終的にベース部材３０に連結固定されている状態を示している。ただし、図２１には、後述する係合状態のロック機構を図示していない。上記の動作説明から明らかなように、座席本体１０は、ベース部材３０に当接した後、僅かに後方に傾斜しながら前方下方に移動してベース部材３０に係合する。座席本体１０をベース部材３０から取り外すときには、上記と逆の動作が必要になる。従って、両者の連結固定構造は強固であり、使用中に不測の事態が起こっても座席本体１０がベース部材３０から容易に離脱しない。
【００３７】
次に図１１〜図１７を参照して、座席本体１０とベース部材３０との連結固定状態をロックする機構について説明する。
【００３８】
図１１は、ベース部材３０（図１１（ａ））および座席本体１０の底面（図１１（ｂ））を示している。図示するように、ベース部材３０には、２個の前方受け金具３８および２個の後方受け金具３９が設けられている。一方、座席本体１０の底面には、前方係合ロッド１４、１対の側方係合ロッド１５および後方係合ロッド１６が設けられている。
【００３９】
座席本体１０をベース部材３０上で前向きに置く場合には、前方係合ロッド１４が前方受け金具３８に係合し、後方係合ロッド１６が後方受け金具３９に係合する。座席本体１０をベース部材３０上で後ろ向きに置く場合には、後方係合ロッド１６が前方受け金具３８に係合し、前方係合ロッド１４が後方受け金具３９に係合する。座席本体１０をベース部材３０上で横向きに置く場合には、１対の側方係合ロッド１５がそれぞれ前方受け金具３８および後方受け金具３９に係合する。
【００４０】
図１２および図１４は、ロック機構の斜視図であり、図１２は連結固定状態をロックしている状態に対応し、図１４はロックを解除している状態に対応している。また、図１６および図１７は、ロック機構を側方から見た部分断面図であり、図１６は連結固定状態をロックしている状態に対応し、図１７はロックを解除している状態に対応している。
【００４１】
図示した実施形態では、ロック機構は、ベース部材３０の後方受け金具３９と、座席本体１０の後方係合ロッド１６との係合状態をロックする。ロック機構は、ベース部材３０に軸４６を介して回動可能に取付けられたロック部材としてのフック部材４５と、ベース部材３０のレール部４４上を前後方向にスライドし得るスライド部材４３と、ベース部材３０の前端部から一部が露出している操作部材４０と、操作部材４０を後方（図１２において矢印Ａで示す方向）に向かって引っ張るように付勢する付勢手段としてのばね４２とを備える。
【００４２】
フック部材４５は、図１６に示すロック位置と、図１７に示すロック解除位置との間を変位し得る。図示するように、フック部材４５は、かぎ状の頭部４５ａと、前方脚部４５ｂと、後方脚部４５ｃとを有する。図１６に示すロック位置にあっては、フック部材４５の頭部４５ａは、後方受け金具３９の係合凹部内に嵌り込んだ後方係合ロッド１６を捕捉し、係合状態をロックする。一方、図１７に示すロック解除位置にあっては、フック部材４５の頭部４５ａが下方に変位しているので、後方係合ロッド１６が後方受け金具３９から脱出することが可能である。
【００４３】
操作部材４０とスライド部材４３とは固定されており、操作部材４０を動かすことによってスライド部材４３も移動する。スライド部材４３は、その後方部分に、上方に向かって立ち上がる傾斜面４３ａと、垂直下方に延びる後部壁４３ｃとを有し、その前方部分に垂直下方に延びる前端壁４３ｂを有する。
【００４４】
図１６に示すロック位置においては、スライド部材４３の後部壁４３ｃがフック部材４５の後方脚部４５ｃを後方に向かって押すことにより、フック部材４５による後方係合ロッド１６の捕捉状態をロックする。このロック状態は、ばね４２の付勢力により安定して維持される。なお、スライド部材４３の前端壁４３ｂがベース部材３０のレール部４４の前端面４４ａに当接することにより、スライド部材４３の後方終端位置が規定される。
【００４５】
ベース部材３０の前端部から露出している操作部材４０を手前に引くことにより、図１７に示すロック解除状態が得られる。操作部材４０を手前に引けばスライド部材４３が前方に移動し、スライド部材４３の傾斜面４３ａがフック部材４５の前方脚部４５ｃを上方に押し上げる。その結果、フック部材４５が回動し、その頭部４５ａがロック解除位置に退避する。なお、スライド部材４３の後部壁４３ｃがレール部４４の後端部４４ｂに当接することにより、スライド部材４３の前方終端位置が規定される。
【００４６】
図１５は、座席本体１０をベース部材１０上に降ろした直後の状態を示している。図示する状態では、フック部材４５がロック位置にあり、後方係合ロッド１６が傾斜台３７上にある。この状態で座席本体１０を下方に押し込むと、後方係合ロッド１６がフック部材４５の頭部４５ａに当接し、フック部材４５を図において時計方向に回動させる。その際、フック部材４５の後方脚部４５ｃに押されたスライド部材４３および操作部材４０は、ばね４２の付勢力に逆らって前方に移動する。後方係合ロッド１６が後方受け金具３９の係合凹部に達すると、ばね４２の付勢力によりスライド部材４３および操作部材４０が後方に移動し、図１６に示すロック状態が得られる。
【００４７】
図１２および図１３に示すように、操作部材４０は、フック部材４５がロック位置にあるときベース部材３０の開口壁４７から露出する露出部４０ａと、フック部材４５がロック位置にあるときにはベース部材３０の中に隠れ、フック部材４５がロック解除位置にあるときにはベース部材３０の開口壁４７から露出する着色部４１とを含む。図１３（ａ）はロック状態にある操作部材４０の位置を示し、図１３（ｂ）はロック解除状態にある操作部材４０の位置を示している。着色部４１は、赤色や黄色などの目立つ色で構成される。
【００４８】
図１３（ｃ）は、フック部材４５が完全にロック位置にまで戻っておらず、中途半端なロック状態になっているときの操作部材４０の位置を示している。この状態では、着色部４１の一部がベース部材３０の開口壁４７から露出しているので、不完全なロック状態であることを明瞭に目視できる。
【００４９】
以上、図面を参照してこの発明の一実施形態を説明したが、この発明は、図示した実施形態に限定されるものではない。この発明と同一の範囲内において、あるいは均等の範囲内において、図示した実施形態に対して種々の修正や変形を加えることが可能である。
【図面の簡単な説明】
【図１】この発明の一実施形態である着脱式チャイルドシートを示す斜視図である。
【図２】チャイルドシートの側面図である。
【図３】ベース部材の斜視図である。
【図４】ベース部材の側面図である。
【図５】座席本体の斜視図である。
【図６】座席本体の底面図である。
【図７】座席本体を後ろ向きに取付けている状態を示す側面図である。
【図８】座席本体を寝かせて横向きに取付けている状態を示す正面図である。
【図９】ベース部材を車の座席に取付けた状態を示す正面図である。
【図１０】座席本体の背もたれ部の背面上方領域を示す図である。
【図１１】ベース部材の上面および座席本体の底面を並べて示す図解図である。
【図１２】ロック機構を示す斜視図である。
【図１３】操作部材がベース部材の前端から露出している状態を示す図である。
【図１４】ロック機構を示す斜視図である。
【図１５】ロック機構を示す側面図であり、座席本体の後方係合ロッドが後方受け金具に係合する前の状態を示している。
【図１６】ロック機構を示す側面図であり、後方係合ロッドと後方受け金具との係合をロックしている状態を示している。
【図１７】ロック機構を示す側面図であり、ロックを解除している状態を示している。
【図１８】引掛け環が引掛けロッドの上方部に係合している状態を示す図である。
【図１９】引掛け環が引掛けロッドの下方部に係合している状態を示す図である。
【図２０】座席本体をベース部材上に降ろした直後の状態を示す図である。
【図２１】座席本体をベース部材に係合させた状態を示す図である。
【符号の説明】
１  チャイルドシート、１０  座席本体、１１  座部、１２  背もたれ部、１３  溝、１４  前方係合ロッド、１５  側方係合ロッド、１６  後方係合ロッド、１７  引掛け環、３０  ベース部材、３１  底壁部、３２  立壁部、３６  引掛けロッド、３６ａ  上方部、３６ｂ  下方部、３７  傾斜台、３８  前方受け金具、３９  後方受け金具、４０  操作部材、４０ａ  露出部、４１着色部、４２  ばね、４３  スライド部材、４３ａ  傾斜面、４３ｂ  前端壁、４３ｃ  後端部、４５  フック部材、４５ａ  頭部、４５ｂ  前方脚部、４５ｃ  後方脚部、４６  軸、４７  開口壁。
【図１】
2004359192.tif 000003
【図２】
2004359192.tif 000004
【図３】
2004359192.tif 000005
【図４】
2004359192.tif 000006
【図５】
2004359192.tif 000007
【図６】
2004359192.tif 000008
【図７】
2004359192.tif 000009
【図８】
2004359192.tif 000010
【図９】
2004359192.tif 000011
【図１０】
2004359192.tif 000012
【図１１】
2004359192.tif 000013
【図１２】
2004359192.tif 000014
【図１３】
2004359192.tif 000015
【図１４】
2004359192.tif 000016
【図１５】
2004359192.tif 000017
【図１６】
2004359192.tif 000018
【図１７】
2004359192.tif 000019
【図１８】
2004359192.tif 000020
【図１９】
2004359192.tif 000021
【図２０】
2004359192.tif 000022
【図２１】
2004359192.tif 000023